(57)【要約】【課題】比較的低濃度での添加で、短時間に効果的な洗浄を行うことができる濾過器の洗浄方法を提供する。【解決手段】濾過器の洗浄において、酸化性殺菌剤を用いて濾過器の除菌洗浄を行う際に、前記酸化性殺菌剤とともにポリ（オキシエチレン（ジメチルイミニオ）エチレン（ジメチルイミニオ）エチレン）ジクロライドを併用する。【選択図】なし【特許請求の範囲】
【請求項１】
酸化性殺菌剤を用いて濾過器の除菌洗浄を行う際に、前記酸化性殺菌剤とともにポリ（オキシエチレン（ジメチルイミニオ）エチレン（ジメチルイミニオ）エチレン）ジクロライドを併用することを特徴とする濾過器の洗浄方法。
【請求項２】
酸化性殺菌剤を用いて循環式浴槽の除菌洗浄を行う際に、前記酸化性殺菌剤とともにポリ（オキシエチレン（ジメチルイミニオ）エチレン（ジメチルイミニオ）エチレン）ジクロライドを併用することを特徴とする循環式浴槽の除菌洗浄方法。
【発明の詳細な説明】
【技術分野】
【０００１】
本発明は、循環式浴槽水などの循環水系などに用いられる濾過器、及び、濾過器を備えた循環式浴槽の洗浄方法に関する。
【背景技術】
【０００２】
循環式浴槽水において濾過器は、レジオネラ属菌生育の温床となることが知られており、「公衆浴場等における衛生管理要領」（２００３年２月１４日厚生労働省健康局長通知第０２１４００４号：非特許文献１）には、１週間に１回以上、濾過装置を充分に逆洗するとともに、濾過装置及び循環配管について、適切な消毒方法で生物膜を除去することと、その管理要領を定めている。
【０００３】
濾過装置や循環式浴槽の除菌洗浄方法としては、高濃度の塩素剤、高濃度の過酸化水素等の酸化性殺菌剤を用いる方法が知られている（特開２００３−７１４６３（特許文献１））が、塩素剤は鉄やステンレス製の濾過装置缶体および周辺配管に対する腐食性が問題であり、過酸化水素は労働安全衛生法上の危険物に該当し、その取り扱いに注意が必要な上、排水時の中和分解作業に手間がかかる。
【０００４】
また、除菌洗浄に際しては、レジオネラを含む細菌類はもとより、レジオネラ生育の温床となるアメーバ、特に薬品に対して耐性のあるアメーバの嚢子をも充分に殺滅しないと、濾過装置内でレジオネラ属菌が短時間で繁殖し、浴槽水のレジオネラ属菌汚染に繋がるが、アメーバ嚢子まで完全に除去するには高濃度、長時間の洗浄が必要であった。
【特許文献１】特開２００３−７１４６３
【非特許文献１】「公衆浴場等における衛生管理要領」（２００３年２月１４日厚生労働省健康局長通知第０２１４００４号）
【発明の開示】
【発明が解決しようとする課題】
【０００５】
本発明は、上記した従来の問題点を改善する、比較的低濃度での添加で、短時間に効果的な洗浄を行うことができる濾過器の洗浄方法、及び、循環式浴槽の除菌洗浄方法を提供することを目的とする。
【課題を解決するための手段】
【０００６】
本発明の濾過器の洗浄方法は上記課題を解決するため、請求項１に記載の通り、酸化性殺菌剤を用いて濾過器の除菌洗浄を行う際に、前記酸化性殺菌剤とともにポリ（オキシエチレン（ジメチルイミニオ）エチレン（ジメチルイミニオ）エチレン）ジクロライドを併用することを特徴とする濾過器の洗浄方法である。
【０００７】
本発明の循環式浴槽の除菌洗浄方法は、請求項２に記載の通り、酸化性殺菌剤を用いて循環式浴槽の除菌洗浄を行う際に、前記酸化性殺菌剤とともにポリ（オキシエチレン（ジメチルイミニオ）エチレン（ジメチルイミニオ）エチレン）ジクロライドを併用することを特徴とする循環式浴槽の除菌洗浄方法である。
【発明の効果】
【０００８】
本発明の濾過器の洗浄方法、あるいは、循環式浴槽の除菌洗浄方法によれば、比較的低濃度での酸化性殺菌剤の添加で、短時間に効果的な洗浄を行うことができるとともに、酸化性殺菌剤の使用濃度を低く、かつ、処理時間を短縮することができるために、濾過装置缶体やその周辺配管の腐食発生を低減ないし防止することができる。
【発明を実施するための最良の形態】
【０００９】
本発明における酸化性殺菌剤としては、ハロゲン系殺菌剤、過酸化水素等が挙げられるが、後者は危険性や排水処理の問題があるため、ハロゲン系殺菌剤を用いることが望ましい。このようなハロゲン系殺菌剤としては次亜塩素酸ナトリウム、次亜塩素酸カルシウム、塩素化イソシアヌル酸、ブロモクロロジメチルヒダントインなどが挙げられる。
【００１０】
酸化性殺菌剤を用いて濾過器の除菌洗浄や循環式浴槽の除菌洗浄を行う際に、ポリ（オキシエチレン（ジメチルイミニオ）エチレン（ジメチルイミニオ）エチレン）ジクロライドを、酸化性殺菌剤と併用する。ポリ（オキシエチレン（ジメチルイミニオ）エチレン（ジメチルイミニオ）エチレン）ジクロライドを先に添加しても、酸化性殺菌剤を先に添加しても、これらを同時に添加しても、あるいは、これらの混合物を添加しても良い。これら除菌洗浄の方法は、ポリ（オキシエチレン（ジメチルイミニオ）エチレン（ジメチルイミニオ）エチレン）ジクロライドを添加し、酸化性殺菌剤の添加量及び／または処理時間を少なくする以外は、従来の酸化性殺菌剤を用いる除菌方法と全く同様に行うことができる。
【００１１】
ポリ（オキシエチレン（ジメチルイミニオ）エチレン（ジメチルイミニオ）エチレン）ジクロライドは各種工業用水のスライムコントロール剤として知られる化合物であり、金属に対する腐食性は低いことが知られている。
【００１２】
ポリ（オキシエチレン（ジメチルイミニオ）エチレン（ジメチルイミニオ）エチレン）ジクロライドの配合量としては、１ｍｇ／Ｌ以上５００ｍｇ／Ｌ以下であることが好ましい。１ｍｇ／Ｌ未満の配合量では添加による効果がほとんどなく、５００ｍｇ／Ｌ以上では添加量の増加に応じた効果の向上が得られない。より好ましい範囲としては１０ｍｇ／Ｌ以上２００ｍｇ／Ｌ以下である。
【００１３】
このようなポリ（オキシエチレン（ジメチルイミニオ）エチレン（ジメチルイミニオ）エチレン）ジクロライドの併用により、酸化性殺菌剤の使用量、処理時間を減少させることができる。酸化性殺菌剤の使用量としてはポリ（オキシエチレン（ジメチルイミニオ）エチレン（ジメチルイミニオ）エチレン）ジクロライドを併用しない場合（例えば次亜塩素酸ナトリウムでは有効塩素濃度が１０ｍｇ／Ｌ〜１０００ｍｇ／Ｌ程度となるように添加）の１０％〜２０％程度としても同等の結果が得られる。また、酸化性殺菌剤の使用量を従来と同様にすれば、処理時間はポリ（オキシエチレン（ジメチルイミニオ）エチレン（ジメチルイミニオ）エチレン）ジクロライドを併用しない場合の５０％以下の処理時間で充分である。
【００１４】
本発明の濾過器の洗浄方法、あるいは、循環式浴槽の除菌洗浄方法では、ポリ（オキシエチレン（ジメチルイミニオ）エチレン（ジメチルイミニオ）エチレン）ジクロライド及び酸化性殺菌剤の他、本発明の効果を損なわない限りにおいて他の成分を添加することができる。
【００１５】
このようなものとして、例えばアクリル酸系重合体、マレイン酸系重合体、メタクリル酸系重合体、スルホン酸系重合体、燐酸系重合体、イタコン酸系重合体、イソブチレン系重合体、ホスホン酸、ホスフィン酸、あるいはこれらの水溶性塩などのスケール防止剤、例えばエチレンジアミン、ジエチレントリアミン等のアミン系化合物、例えばニトリロ三酢酸、エチレンジアミン四酢酸、ジエチレントリアミン五酢酸等のアミノカルボン酸系化合物、例えばグルコン酸、クエン酸、シュウ酸、ギ酸、酒石酸、フィチン酸、琥珀酸、乳酸等の有機カルボン酸など、各種の水処理剤を併用することができる。
【００１６】
さらに、防食剤であるトリルトリアゾール、ベンゾトリアゾール、メルカプトベンゾチアゾール、モリブデン酸及びその塩、タングステン酸及びその塩、亜鉛及びその塩、リン酸及びその塩、亜硝酸及びその塩、亜硫酸及びその塩などから選ばれる１種あるいはそれ以上の成分を添加しても良い。
【実施例】
【００１７】
以下に本発明の濾過器の洗浄方法の実施例について具体的に説明する。
下記では主として外環境のレジオネラ属菌を体内に取り込んで、結果的に殺菌剤などが存在する外環境から保護しつつその体内でレジオネラ属菌を繁殖させる宿主となるアメーバに対する殺滅性を評価した。アメーバは活動的な栄養体と、非活動的であり、かつ、耐薬品性（耐殺滅剤性）の特に高い嚢子との２つの状態があることが知られている。このため、アメーバに対する効果はこの２つの状態について調べた。
【００１８】
（大腸菌塗布寒天培地の調製）
細菌検査用寒天を濃度が１．５％(ｗ／ｖ) となるようにイオン交換水に溶かし、１２１℃、１５分間の滅菌後、径９０ｍｍの滅菌シャーレに１５〜２０ｍＬ分注して寒天平板を作成した。次いで、別途に標準寒天平板培地で培養した大腸菌を適当な量採取し、滅菌イオン交換水に懸濁して濃厚な大腸菌懸濁液を作成し、これを６０℃、１時間加熱処理した後、滅菌イオン交換水でＯＤが０．５となるよう希釈した。そして、この液０．３ｍＬを前記の寒天平板の全面に塗布して、大腸菌が寒天の表面に固定される程度に乾燥させ、大腸菌塗布寒天培地を調製した。
【００１９】
＜アメーバ栄養体に対する効果確認＞
上記で作成した大腸菌塗布寒天培地を用いて２日間培養したアカントアメーバ９６（Ａｃａｎｔｈａｍｏｅｂａ  ９６）の栄養体を滅菌水道水に１ｍＬ当たり１．１×１０４個添加したものを試験水として用いた。
【００２０】
この試験水１０ｍＬを組織培養用フラスコに入れ、有効成分濃度が表１に示す値となるように各薬剤（但し「Ａ剤」はポリ（オキシエチレン（ジメチルイミニオ）エチレン（ジメチルイミニオ）エチレン）ジクロライドを示す（以下同様）。）を添加した後２８℃で静置した。表１中の薬剤濃度は有効成分濃度（次亜塩素酸ナトリウムの場合は遊離塩素濃度）である（以下同様である）。
【００２１】
薬剤添加３時間後および６時間後に試験水の一部を採取し、酸化性殺菌剤の中和剤としてチオ硫酸ナトリウムを適宜添加し、さらに必要に応じて段階希釈した後、その１ｍＬを大腸菌塗布寒天培地に塗布し、２８℃で７日間培養後、培地上に発生したプラーク数をカウントすることにより、生残アメーバ数（個／ｍＬ）を調べた。その結果を表１に併せて示す。表１中「＜１」はアメーバが検出されなかったことを示す。
【００２２】
【表１】
2008246099.tif 000002
【００２３】
表１により本発明の洗浄方法によれば、アメーバ栄養体に対する殺滅効果は高く、相乗効果的に酸化性殺菌剤の使用量および処理時間を減少させることができることが判る。
【００２４】
＜アメーバ嚢子に対する効果確認＞
上記で作成した大腸菌塗布寒天培地を用いて７日間前培養して、嚢子化したアカントアメーバ９６（Ａｃａｎｔｈａｍｏｅｂａ  ９６）を滅菌水道水に１ｍＬ当たり１．２×１０４個添加したものを試験水として用いた。
【００２５】
この試験水１０ｍＬを組織培養用フラスコに入れ、有効成分濃度が表２に示す値となるように各薬剤を添加した後２８℃で静置した。薬剤添加３時間後および６時間後に試験水の一部を採取し、酸化性殺菌剤の中和剤としてチオ硫酸ナトリウムを適宜添加し、さらに必要に応じて段階希釈した後、その１ｍＬを大腸菌塗布寒天培地に塗布し、２８℃で７日間培養後、培地上に発生したプラーク数をカウントすることにより、生残アメーバ数（個／ｍＬ）を調べた。その結果を表２に示す。
【００２６】
【表２】
2008246099.tif 000003
【００２７】
表２により本発明に係る洗浄方法によれば、アメーバ嚢子に対する殺滅効果も栄養体に対する場合と同様に極めて高く、相乗効果的に酸化性殺菌剤の使用量および処理時間を減少させることができることが判る。
【００２８】
＜実際の循環式浴槽の濾材での効果確認＞
実際の循環式浴槽に設置されている砂濾過装置から濾材の一部を取り出し、以下のように試験を行った。
【００２９】
濾材１０ｇを２００ｍＬの三角フラスコに採り、つくば市水道水（残留塩素：０．１ｍｇ／Ｌ未満）に有効成分濃度が表４に示す値となるように各薬剤を添加した洗浄水１００ｍＬを添加してマグネチックスターラーを用いて３００ｒｐｍで３時間攪拌した。
【００３０】
薬剤添加３時間後、酸化性殺菌剤の中和剤としてチオ硫酸ナトリウムを適宜添加した後、静置し、上清中のレジオネラ属菌数（個／１００ｍＬ）、一般細菌数（個／ｍＬ）、及び、アメーバ数（個／１００ｍＬ）を測定した。結果を表３に併せて記載した。なお、表中「＜１０」、「＜１」、および、「＜２」はそれぞれ、「１０未満」、「１未満」、及び、「２未満」を表す。
【００３１】
【表３】
2008246099.tif 000004
【００３２】
表３より、実際の循環式浴槽の濾過器の洗浄においても本発明の洗浄方法によれば、少ない酸化性殺菌剤の使用量で高い効果が得られることが判る。